(57)【要約】【課題】  特に小さな子供がいる家族の場合でも、その子供に対して、チラシに掲載されている営業所や展示場に行くことを喜ぶ動機付けとなる具体的な楽しみを提供でき、親は子供が営業所や展示場に行くことを喜ぶことで、安心して家族揃って営業所や展示場へ外出できるようにすることで、チラシによる集客効果を高めることが期待できる袋成形用チラシを提供する。【解決手段】  広告情報が掲載された矩形状の広告用紙の所定部分を折り込み接着することで、袋を形成することができる袋成形用チラシであって、前記広告用紙には、袋を形成する際に必要な折り込み箇所を示す折り込み予定線表示と、前記広告用紙で袋を形成するための組み立て方法を説明する組み立て方法表示と、前記広告用紙から成形した袋を顧客が持参する場所を示す袋持参場所表示と、前記袋を袋持参場所に持参した際に顧客に与えられる特典内容を示す特典内容表示とを有する。【選択図】        図1
0003117986.tif 000002
【実用新案登録請求の範囲】
【請求項１】
広告情報が掲載された矩形状の広告用紙の所定部分を折り込み接着することで、袋を形成することができる袋成形用チラシであって、
前記広告用紙には、袋を形成する際に必要な折り込み箇所を示す折り込み予定線表示と、前記広告用紙で袋を形成するための組み立て方法を説明する組み立て方法表示と、前記広告用紙から成形した袋を顧客が持参する場所を示す袋持参場所表示と、前記袋を袋持参場所に持参した際に顧客に与えられる特典内容を示す特典内容表示とを有することを特徴とする袋形成形用チラシ。
【請求項２】
前記袋持参場所表示と、前記特典内容表示とが、前記広告用紙で袋を形成させた際に、袋のマチ部分となる位置に設けられていることを特徴とする請求項１記載の袋形成形用チラシ。
【請求項３】
前記特典内容が、お菓子の詰め放題を行う顧客向けサービスであることを特徴とする請求項１記載の袋成形用チラシ。
【請求項４】
前記組み立て方法表示が、前記広告用紙で袋を形成させた場合に、前記袋の底部となる広告用紙の部分に設けられていることを特徴とする請求項１記載の袋成形用チラシ。
【請求項５】
前記袋成形用チラシが、新聞折り込み用のチラシであることを特徴とする請求項１記載の袋成形用チラシ。
【考案の詳細な説明】
【技術分野】
【０００１】
本考案は、各種の商品やサービスの広告宣伝を行う際に用いられるチラシであって、特にチラシを受け取った生活者である顧客が、そのチラシで袋を形成することができる袋成形用チラシに関する。
【背景技術】
【０００２】
従来、生活者に対して各種の商品やサービスについて広告宣伝を行う場合に、それらの広告情報を掲載したチラシを作成し、新聞と共にそのチラシを生活者に配布したり、街頭などで生活者に手渡すなどしてチラシを配布するなどしている。
通常これらのチラシは、販売促進を行う商品の写真や商品内容の説明を掲載させたり、チラシにクーポン券を印刷するなどして集客効果を高める工夫が施されている。（例えば、特許文献１参照）
【０００３】
これらのチラシの中には、商品の写真を掲載したり、商品内容の説明分などを掲載すると共に、それらの商品を展示する営業所や展示場などの営業場所に関しても掲載している場合が多い。
このようなチラシは、まずそのチラシの掲載内容を見た生活者に対して営業所や展示場へきてもらうことを第１の目的としている。
そして、生活者に対して営業所や展示場へきてもらった後に、営業担当者が生活者の接待をしながらその生活者に販売する商品の現物やサンプルなどを見せて、商品説明をするなどして販売促進活動を行うなどしている。
【０００４】
しかしながら、生活者の中には、特に幼稚園児や小学生のような小さな子供がいる家族も多く、子供がいる家族が、休日に家族揃ってチラシの掲載されている営業所や展示場に行くことは子供にとって必ずしも楽しいこととはいえないと予想される。
したがって、特に子供がいる家族に対して、家族連れで営業所や展示場にきてもらうためには、まずその子供にとって営業所や展示場に行くことを喜ぶ何らかの動機付けとなる工夫をチラシに付加することが重要となる。
ところが、従来のチラシでは、クーポン券や無料券などの大人向けのサービスをチラシに付加することが一般的で、子供が喜ぶような工夫がチラシに施されていないのが現状であり、たとえ大人が営業所や展示場へ行きたいと思っても、子供が嫌がるので営業所や展示場に行きにくいということもあり、チラシの配布に伴う効果が最大限に生かされていないという問題がある。
【０００５】
また、従来技術として、広告チラシなどの広告用印刷物の広告用用紙を折り込むだけで応答用の郵便封筒になる、郵便封筒形状に応じた折り込み指示線を予め印刷されている広告用印刷物も既に公知となっている。（例えば、特許文献２参照）
しかしながら、上記の広告用印刷物は、広告用用紙を折り込んで応答用の郵便封筒とするものであり、袋として成形するものとは異なるものである。
【特許文献１】実用新案登録第３１１０９５９号公報
【特許文献２】特開平９−１６５０４５号公報
【考案の開示】
【考案が解決しようとする課題】
【０００６】
そこで、本発明は、特に幼稚園児や小学生のような小さな子供がいる家族の場合でも、その子供に対して、チラシに掲載されている営業所や展示場に行くことを喜ぶ動機付けとなる具体的な楽しみを提供でき、親は子供が営業所や展示場に行くことを喜ぶことで、安心して家族揃ってチラシに掲載された営業所や展示場へ外出できるようにすることで、チラシによる集客効果を高めることが期待できる袋成形用チラシを提供する。
【課題を解決するための手段】
【０００７】
上記目的を達成するために、本考案の袋成形用チラシは、広告情報が掲載された矩形状の広告用紙の所定部分を折り込み接着することで、袋を形成することができる袋成形用チラシであって、前記広告用紙には、袋を形成する際に必要な折り込み箇所を示す折り込み予定線表示と、前記広告用紙で袋を形成するための組み立て方法を説明する組み立て方法表示と、前記広告用紙から成形した袋を顧客が持参する場所を示す袋持参場所表示と、前記袋を袋持参場所に持参した際に顧客に与えられる特典内容を示す特典内容表示とを有することを特徴とする。
【０００８】
また、本考案の袋成形用チラシは、前記袋持参場所表示と、前記特典内容表示とが、前記広告用紙で袋を形成させた際に、袋のマチ部分となる位置に設けられていることを特徴とする。
【０００９】
更に、本考案の袋成形用チラシは、前記特典内容が、お菓子の詰め放題を行う顧客向けサービスであることを特徴とする。
【００１０】
また、本考案の袋成形用チラシは、前記組み立て方法表示が、前記広告用紙で袋を形成させた場合に、前記袋の底部となる広告用紙の部分に設けられていることを特徴とする。
【００１１】
更に、本考案の袋成形用チラシは、前記袋成形用チラシが新聞折り込み用のチラシであることを特徴とする。
【考案の効果】
【００１２】
本考案の袋成形用チラシは、広告用紙に表示された組み立て方法表示及び折り込み予定線表示に基づいて広告用紙から袋を成形することができ、更にその袋を袋持参場所表示の場所に持っていくことで、特典内容表示に示される特典が得られるので、特に幼稚園児や小学生のような小さな子供がいる家族の場合でも、その子供がチラシに掲載されている営業所や展示場に行くことを喜ぶ動機付けとなる具体的な楽しみを提供でき、その親は、子供が営業所や展示場に行くことを喜ぶことで、大人も安心して家族揃ってチラシに掲載された営業所や展示場へ外出できるので、チラシによる集客効果を高めることが期待できるという効果がある。
【００１３】
また、本考案の袋成形用チラシは、袋のマチ部分となる位置に袋持参場所表示と特典内容表示とが設けられているので、広告用紙で成形された袋の表裏面を広告面として利用することができ、広告効果が期待できる。
【００１４】
更に、本考案の袋成形用チラシは、特典内容としてお菓子の詰め放題を行う顧客向けサービスが掲載されているので、営業所や展示場に行くことで持参した袋にお菓子の詰められるという楽しみを子供に提供することができ、親は子供が営業所や展示場に行くことを楽しみにしていることで、大人も安心して家族揃ってチラシに掲載された営業所や展示場へ外出できるので、チラシによる集客効果を高めることが期待できるという効果がある。
【００１５】
また、本考案の袋成形用チラシは、組み立て方法表示が、広告用紙で袋を形成させた場合に袋の底部となる広告用紙の部分に設けられているので、広告用紙で成形された袋の表裏面を広告面として利用することができ、広告効果が期待できる。
【００１６】
更に、本考案の袋成形用チラシは、新聞折り込み用のチラシであるので、新聞に折り込んで生活者に配布することができるという効果がある。
【考案を実施するための最良の形態】
【００１７】
以下、本考案の実施形態に係る袋成形用チラシについて、図面に基づいて詳細に説明する。
図１は、本考案の実施形態に係る袋成形用チラシの平面図、図２は、本考案の実施形態に係る袋成形用チラシを組み立てて袋を成形させた状態を示す斜視図、図３は、本考案の実施形態に係る袋成形用チラシを組み立てて袋を成形させた状態における袋の底面を示す平面図である。
【００１８】
図１に示すように、本発明の実施形態に係る袋成形用チラシ１は、広告情報２が掲載された矩形状の広告用紙３に、袋を形成する際に必要な折り込み箇所を示す折り込み予定線表示と、その広告用紙３で袋を形成するための組み立て方法を説明する組み立て方法表示４と、その広告用紙３から成形した袋を顧客が持参する場所を示す袋持参場所表示５と、広告用紙３から成形した袋を袋持参場所に持参した際に、顧客に与えられる特典内容を示す特典内容表示６とを有している。
【００１９】
広告用紙３に表示されている折り込み予定線表示は、袋成形用チラシ１を受け取った生活者が、その広告用紙３から袋を作る際に折り込む位置を指定するために表示されているものであり、予め広告用紙３に印刷されて設けられている。
この折り込み予定線表示としては、広告用紙３を山折りするための山折り用の折り込み予定線表示７ａ〜７ｒが１８本表示され、更に、広告用紙３を谷折りするための谷折り用の折り込み予定線表示８ａ〜８ｊが１０本表示されている。
これらの折り込み予定線表示のうち、５本の山折り用の折り込み予定線表示７ｅ，７ｇ，７ｊ，７ｍ，７ｑと、更に、４本の谷折り用の折り込み予定線表示８ｃ，８ｆ，８ｇ，８ｈとからなる折り込み予定線部分は、広告用紙３から袋を作成する際に、完全に折り畳んだ状態になるまで折り曲げるための折り込み部分となる。
【００２０】
そして、上記の折り込み予定線表示に基づいた折り込みを行うと共に、広告用紙３の所定部分同士を糊付けすることで、広告用紙３から袋を作成することができるように構成される。
広告用紙３の糊付け部分としては、図１に示すように、広告用紙３の一端側に設けられたのりしろ部分９と、広告用紙３の他端側の部分とをそれぞれ重ね合わせた部分と、更に、袋の底部分に位置する山折り用の折り込み予定線表示７ｅ，７ｆ，７ｇで囲まれる部分と、山折り用の折り込み予定線表示７ｊ，７ｌ，７ｍで囲まれる部分とを重ね合わせた部分とが糊付け部分となる。
広告用紙３は、上記の折り込み予定線表示に基づいて折り込み、更に定められた部分を糊付けすることで、図２に示すような、一方が開封部となる袋を形成することかできるようになっている。
【００２１】
そして、成形された袋には、生活者である顧客が営業所や展示場などで、上方の開封部からお菓子などのプレゼント品を入れて家に持ち帰ることができるようにしてあり、特に子供がいる家族の場合には、子供が袋を持ってきて、その袋にお菓子などのプレゼント品を入れてもらえるという楽しみを子供に与えることができるようにしてある。
【００２２】
また、広告用紙３から袋を作成する際に必要な、折り込み予定線表示に基づく広告用紙３の折り込み方法や、糊付け方法などの具体的な袋の組み立て方法は、広告用紙３の下方部分の組み立て方法表示４に表示されていて、子供でもこの組み立て方法表示４を参考にしながら自分で広告用紙３から袋を成形できるように配慮されている。
例えば、この組み立て方法表示４としては、組み立て手順を示す図解と組み立て説明文などを掲載するなどして、小学生でも自分で楽しみながら簡単に袋を組み立てられるように具体的に表示しておくことが好ましい。
子供が自分で広告用紙３から袋を作成できるようにしておくことで、子供に物を作る喜びを提供することもでき、子供にペーパークラフトを作る気分で袋を作成できるように工夫されている。
更に、子供自身が作った袋をもっていけば、その袋の中にお菓子などのプレゼント品を入れてもらえるという期待感も増して、子供がチラシに掲載された営業所や展示場へ外出することを楽しみと感じると予想される。
【００２３】
また、広告用紙３には、広告用紙３から成形した袋を顧客が持参する場所を示す袋持参場所表示と、作成した袋をその袋持参場所に持参した際に、その顧客に与えられる特典内容を示す特典内容表示とが、広告用紙で袋を形成させた際における袋のマチ部分となる位置に設けられている。
したがって、広告用紙３で成形した袋の表裏面には、広告情報を大きく掲載することが可能となり広告効果が上がるようにしてある。
【００２４】
また、袋持参場所に持参した際に顧客に与えられる特典内容としては、例えば、お菓子の詰め放題を行う顧客向けサービスなどの子供が喜ぶサービスであることが好ましい。
この顧客向けサービスは、子供などが広告用紙３から袋を作成し、その袋を持参した場合に提供するサービスであるので、袋を持参して家族で営業所や展示場に来てもらった生活者である顧客に、その袋を利用したサービスを提供することで、単に袋を作るだけではなく袋を作ったことと関連させたサービスを提供できるようにしてある。
したがって、生活者である顧客が広告用紙３で成形した袋を持参した場合に、その袋にお菓子を自由に詰められるお菓子の詰め放題サービスや、その袋に子供が喜ぶような、おもちゃ、人形、グッズなどを入れて持ち帰られるようにすることで、子供に広告用紙３から袋を作る楽しみと共に、その袋にお菓子などのプレゼント品を詰めてもらえるという２重の楽しみを与えられるように工夫されている。
【００２５】
また、広告用紙３には、クーポン券や無料券などの特典情報を掲載することで、子供だけではなく大人に対しても楽しみの提供を行えるようにしてある。
尚、広告用紙３から袋を形成するためには、上記以外でも様々な折り込みや糊付けにより袋の成形をすることができるので、成形する袋の形状に応じて、様々な折り込み予定線表示や組み立て方法表示を広告用紙３に施せばよい。
【図面の簡単な説明】
【００２６】
【図１】本考案の実施形態に係る袋成形用チラシの平面図である。
【図２】本考案の実施形態に係る袋成形用チラシを組み立てて袋を成形させた状態を示す斜視図である。
【図３】本考案の実施形態に係る袋成形用チラシを組み立てて袋を成形させた状態における袋の底面を示す平面図である。
【符号の説明】
【００２７】
１  袋成形用チラシ
２  広告情報
３  広告用紙
４  組み立て方法表示
５  袋持参場所表示
６  特典内容表示
７ａ〜７ｒ  山折り用の折り込み予定線表示
８ａ〜８ｊ  谷折り用の折り込み予定線表示
９  のりしろ部分
【図１】
0003117986.tif 000003
【図２】
0003117986.tif 000004
【図３】
0003117986.tif 000005